(57)【要約】【課題】移動方向反転時の送り位置ずれを防止でき、かつ小型化に適した補正レンズ駆動機構を含む光ピックアップ装置を提供する。【解決手段】可動側補正レンズ５を保持したレンズガイド軸３０を、ガイドホルダ３４のガイド穴３４ａ内で、光軸方向に移動可能に保持する。ガイドホルダ３４のガイド穴３４ａは一部に切欠部３４ｂを有しており、この切欠部３４ｂには、レンズガイド軸３０に設けられた凸部３０ａを嵌合させる。レンズガイド軸３０は、その移動時において、切欠部３４ｂに凸部３０ａを嵌合させた状態でガイド穴３４ａ内を摺動移動する。【選択図】  図１
2004272945.tif 000002
【特許請求の範囲】
【請求項１】
光源、対物レンズ、および光源と対物レンズとの間に配置され光源から発射されるビーム光の光軸方向に移動可能な補正レンズを備えた光ピックアップ装置において、
上記補正レンズを保持するレンズ保持手段と、
上記レンズ保持手段を光軸方向に摺動可能となるように保持する摺動保持手段とを備えており、
上記レンズ保持手段は、上記摺動保持手段に設けられたガイド穴内を摺動可能に保持されているものであると共に、上記摺動保持手段のガイド穴は上記光軸に平行に切欠部を有しており、上記レンズ保持手段は切欠部と嵌合する凸部を有していることを特徴とする光ピックアップ装置。
【請求項２】
上記摺動保持手段は、切欠部において光軸周りの外周面が開放されていることを特徴とする請求項１に記載の光ピックアップ装置。
【請求項３】
駆動源からの駆動力は、凸部を介して伝達されることを特徴とする請求項２に記載の光ピックアップ装置。
【請求項４】
光源から発射されるビーム光の光軸と平行に配され、駆動源によって回転されるリードスクリュと、上記レンズ保持手段の凸部に固定され、上記リードスクリュと係合されてリードスクリュの回転を光軸方向の直線運動に変換してレンズ保持手段に伝えるアームとを具備し、
上記アームと上記リードスクリュとの接点における接面が、上記レンズ保持手段の凸部と上記摺動保持手段の切欠部との接触面に対して、略平行になるように構成されていることを特徴とする、請求項２に記載の光ピックアップ装置。
【請求項５】
上記アームと上記リードスクリュとの接点が、上記摺動保持手段の凸部と上記摺動保持手段の切欠部との接触面に垂直かつ光軸に平行で摺動保持手段の凸部と摺動保持手段の切欠部との接点を通る平面と、上記平面に平行で上記補正レンズの軸中心を通る平面との間に位置するように構成されることを特徴とする請求項２に記載の光ピックアップ装置。
【請求項６】
上記摺動保持手段のガイド穴と上記レンズ保持手段は、光軸に垂直な面での断面形状が略円形形状であり、
上記レンズ保持手段の軸中心位置と、上記補正レンズの軸中心位置とが略一致していることを特徴とする、請求項１に記載の光ピックアップ装置。
【請求項７】
上記請求項１ないし６のいずれかに記載の光ピックアップ装置を備えていることを特徴とする光ディスク装置。
【発明の詳細な説明】
【０００１】
【発明の属する技術分野】
本発明は、光ディスク装置、特に光ピックアップの球面収差を補正するための機構系を有する光ピックアップ装置に関するものである。
【０００２】
【従来の技術】
光ディスクは、書き換え可能、媒体交換可能、大容量という利点を有しており、ＣＤ、ＣＤ−Ｒ、ＣＤ−ＲＷ、ＤＶＤ−ＲＷ、ＤＶＤ−ＲＡＭ等数多くの規格が従来より使用されている。近年では、このような光ディスクにおいて、さらなる高記録密度化、大容量化、及び小型化が求められている。
【０００３】
このような光ディスクにおける記録信号の高密度化を図るためには、該光ディスクに対して記録再生を行う光ディスク装置の光学系（光ピックアップ）において、ディスク記録面上に集光するレーザのスポット径を小さくすることが求められている。レーザのスポット径を小さくするためには、対物レンズのＮＡ（開口率）を高くするとともに、光源から出射されるレーザの短波長化を図るという手法が一般的である。
【０００４】
ところが、対物レンズにおける球面収差は、対物レンズのＮＡの４乗と光ディスクの光学的透明層の厚さとに比例して大きくなるため、レーザのスポット径を小さくするために対物レンズのＮＡを高くすると、球面収差が従来ＮＡの対物レンズと比較して大きくなってしまうという問題が発生する。例えば、従来の対物レンズのＮＡは０．６程度であるが、対物レンズのＮＡを０．８〜０．９とした場合の球面収差は、ＮＡ０．６の場合と比較して３〜５倍に増加する。
【０００５】
対物レンズにおける球面収差量の増大を防ぐためには、光ディスクの光学的透明層の厚さを小さくする手法が考えられる。しかし、この場合には光学的透明層厚さのばらつきについても同様に小さくする必要があり、製造上の限界がある。例えば、ＮＡ０．６の従来の対物レンズを使用する場合に用いられている光ディスクの光学的透明層の厚さ０．６ｍｍを、さらに小さくして（１／６にして）０．１ｍｍにする場合には、光学的透明層の厚さのばらつきについても、従来の光学的透明層の厚さのばらつきに対して１／６に抑えないと、球面収差が増大してしまうことになる。しかし、光学的透明層の厚さを１／６にすると同時に、光学的透明層厚さのばらつきをも１／６に抑えることは、現在の技術では困難である。
【０００６】
また、対物レンズにおける球面収差の増大を回避しながらＮＡを高くする手法として、さらに２枚の補正レンズを用いて球面収差を補正する方法がある。この方法では、例えば特許文献１に開示があるように、一方の補正レンズを光軸方向に移動可能な補正レンズとして使用し、光学的透明層の厚さが異なっている複数種類の光ディスクに対しては、２枚の補正レンズの間隔を可変することによりその球面収差を補正することも可能である。
【０００７】
しかし、前記特許文献１の方法では、補正レンズを光軸方向に移動させる際に、光軸に対して補正レンズが傾いたり、位置がずれたりすることがあり、この場合、ディスク記録面上のビームスポットの収差を補正する能力が低下し、良好な記録再生ができない。
【０００８】
このような補正レンズの傾きや位置ずれは、補正レンズを保持するヘッドキャリッジの移動方向を規制するガイド軸と、ヘッドキャリッジの軸ホルダ（ガイド軸穴）との間に、設計上のクリアランスが設けられていることに起因する。すなわち、前記ガイド軸および軸ホルダのクリアランス間でのがたつきが、補正レンズの傾きや位置ずれの原因となる。
【０００９】
この補正レンズの傾きや位置ずれ量の許容量については、光学設計によって異なるが、一例としては補正レンズの傾きの許容量は５〜１０’（分）以下、光軸に対する送り位置ずれ量としては２０μｍ以下となる。このため、より精度の高い収差補正レンズの光軸方向送り機構や、ガイド機構が求められている。
【００１０】
そこで、例えば特許文献２には、レンズの移動時において、レンズを保持するヘッドキャリッジに対して、ヘッドキャリッジの移動をガイドするガイド軸周りの回転モーメントが発生しないようにするガイド機構の技術が開示されている。具体的には、ヘッドキャリッジに対する移動力を与えるリードスクリュと、ヘッドキャリッジに設けられリードスクリュに係合されるヘッドキャリッジ移動用の係合ピンとを有する構造において、係合ピンとリードスクリュとの接点における接線方向略延長線上にガイド軸の略中心が位置するように構成する。これにより、ヘッドキャリッジがガイド軸周りに回転することによって生じる、レンズのずれを低減できる。
【００１１】
また、例えば特許文献３には、ヘッドキャリッジの回転を規制するための副軸を設け、該副軸とそれを支持するヘッドキャリッジ側の凹部が安定して接触するように、副軸および凹部の接触箇所に荷重をかけるガイド機構の技術が開示されている。これにより、副軸とそれを支持する凹部との間のガタによる影響を低減することができる。
【００１２】
【特許文献１】
特開平９−１９７２６４号公報（１９９７年７月３１日公開）
【００１３】
【特許文献２】
特許第２５６８１９７号（１９８８年１１月７日公開）
【００１４】
【特許文献３】
特許第３３２４５４４号（２０００年９月１４日公開）
【００１５】
【発明が解決しようとする課題】
しかしながら、特許文献２のガイド機構は、ヘッドキャリッジにおけるガイド軸周りの回転モーメントの発生を抑制し、レンズのずれや傾きを低減するものであるが、ガイド軸と軸ホルダとの間に存在するガタを無くす技術ではなく、レンズのずれや傾きを低減する効果にも限界がある。
【００１６】
このため、特に移動方向反転時には、補正レンズ１０５は初期の微小変位において、図６（ａ），図６（ｂ）に示すように、アーム１０３の移動方向とは逆方向に移動してしまい、補正レンズの送り位置ずれが発生するという問題がある。この位置ずれは、主軸１０１と対物レンズ中心位置との距離が離れれば離れるほど大きくなる。
【００１７】
また、リードスクリュ１０４を駆動するモータ（図示せず）の回転数によって、補正レンズ１０５の位置を間接的に検出する方法を採用する場合には、位置の正確な検出を行えないという問題も生じる。
【００１８】
この現象を、特許文献２のガイド機構において改善するためには、主軸の長さを大きくするか、あるいは主軸と軸穴のクリアランスを小さくすることが考えられる。
【００１９】
しかしながら、補正レンズ１０５は、光ピックアップ装置の内部に組み込まれるため、主軸の長さを大きくすることは、光ピックアップ装置自身を大きくすることに繋がる。また、主軸とその軸穴のクリアランスを小さくすることにも製作上の限界があり、改善には限界がある。
【００２０】
また、前記特許文献２および３に示すような従来のガイド機構では、これを特許文献１に示すような光軸方向に移動可能な補正レンズを設ける構成において補正レンズの送り機構に用いた場合、以下のような問題がある。
【００２１】
従来のガイド機構を用いた補正レンズ駆動機構の場合は、図６（ａ），図６（ｂ）に示すように、主軸１０１と副軸１０２の間に補正レンズ１０５が存在する構成となり、該補正レンズ駆動機構のサイズが大きくなってしまう。ここで、前記補正レンズ駆動機構は、光ピックアップのハウジング内に設けられるため、そのサイズが大きくなることは設計上の大きな問題となる。
【００２２】
また、リードスクリュと係合して該リードスクリュの回転を補正レンズの移動力として伝えるアーム１０３において、アーム移動時にアーム１０３に荷重が発生する位置が、主軸１０１及び副軸１０２を挟む空間の外側に位置する。このため、主軸１０１及び副軸１０２にかかる荷重が大きくなり、駆動装置の小型化を阻む要因となる。
【００２３】
つまり、図７に示す従来のガイド機構において、アーム１０３の押圧力をＮ、主軸１０１にかかる荷重をＮ１、副軸１０２にかかる荷重をＮ２とした場合、押圧点から主軸までの距離をＬ１、主軸副軸間をＬ２とすると、
モーメントのつりあいは          Ｎ×Ｌ１＝Ｎ２×Ｌ２
力のつりあいは                  Ｎ１＝Ｎ＋Ｎ２
となる。よって、主軸１０１、副軸１０２にかかる荷重の合計は、
Ｎ１＋Ｎ２＝Ｎ×（１＋２×Ｌ１／Ｌ２）
となり、主軸１０１、副軸１０２にかかる荷重の合計Ｎ１＋Ｎ２は、押圧力Ｎより大きいものとなるため、摩擦力もそれに応じて大きいものとなる。
【００２４】
本発明は、前記の問題点に鑑みてなされたものであり、その目的は、移動方向反転時の送り位置ずれを防止でき、かつ小型化に適した補正レンズ駆動機構を含む光ピックアップ装置および該光ピックアップ装置を具備する光ディスク装置を提供することにある。
【００２５】
【課題を解決するための手段】
本発明の光ピックアップ装置は、上記の課題を解決するために、光源、対物レンズ、および光源と対物レンズとの間に配置され光源から発射されるビーム光の光軸方向に移動可能な補正レンズを備えた光ピックアップ装置において、上記補正レンズを保持するレンズ保持手段と、上記レンズ保持手段を光軸方向に摺動可能となるように保持する摺動保持手段とを備えており、上記レンズ保持手段は、上記摺動保持手段に設けられたガイド穴内を摺動可能に保持されているものであると共に、上記摺動保持手段のガイド穴は上記光軸に平行に切欠部を有しており、上記レンズ保持手段は切欠部と嵌合する凸部を有していることを特徴としている。
【００２６】
上記の構成によれば、上記レンズ保持手段は、摺動保持手段のガイド穴内において摺動可能に保持され、該レンズ保持手段を摺動移動させることによって、補正レンズを光軸方向に沿って移動させることができる。
【００２７】
また、この時、摺動保持手段のガイド穴には切欠部が設けられており、上記レンズ保持手段はこの切欠部と凸部を嵌合させた状態で摺動移動するため、レンズ保持手段の移動軸中心周りの回転を極めて簡易な構成で規制することが可能となり、補正レンズ移動機構の小型化を図ることができる。
【００２８】
また、上記光ピックアップ装置においては、上記摺動保持手段は、切欠部において光軸周りの外周面が開放されている構成とすることが好ましい。
【００２９】
上記の構成によれば、上記摺動保持手段のガイド穴が、その切欠部において開放状態となっているため、開放状態ではない場合よりも切欠部および凸部の製作精度を向上させることが可能となる。これにより、上記レンズ保持手段の凸部と上記摺動保持手段の切欠部とのクリアランスに起因するレンズ保持手段の回転及び光軸方向に対する傾きを抑制することが可能である。
【００３０】
また、上記光ピックアップ装置においては、駆動源からの駆動力は、凸部を介して伝達される構成とすることが好ましい。
【００３１】
上記摺動保持手段は、ガイド穴に設けられた切欠部において光軸周りの外周面が開放されているため、上記レンズ保持手段は、上記切欠部に嵌合される凸部の外周面側が、この切欠部において露出した状態で光軸方向に摺動移動可能となる。
【００３２】
ここで、上記の構成によれば、上記レンズ保持手段を移動させるための駆動力は、上記切欠部において露出する凸部を介して伝達されることとなり、簡易な構成で容易に駆動力をレンズ保持手段に伝達することができる。これにより、上記レンズ保持手段を小型化することができる。
【００３３】
また、上記光ピックアップ装置においては、光源から発射されるビーム光の光軸と平行に配され、駆動源によって回転されるリードスクリュと、上記レンズ保持手段の凸部に固定され、上記リードスクリュと係合されてリードスクリュの回転を光軸方向の直線運動に変換してレンズ保持手段に伝えるアームとを具備し、上記アームと上記リードスクリュとの接点における接面が、上記レンズ保持手段の凸部と上記摺動保持手段の切欠部との接触面に対して、略平行になるように構成することができる。
【００３４】
上記の構成によれば、上記アームと上記リードスクリュとの接点における接面が、上記レンズ保持手段の凸部と上記摺動保持手段の切欠部との接触面（回動規制面）に対して略平行となることにより、アームの押圧力は、回動規制面に垂直に作用する。これにより、アームの押圧力が、回動規制面におけるがたつきを抑制するように作用し、補正レンズの移動時のずれを低減することができる。
【００３５】
また、上記光ピックアップ装置においては、上記アームと上記リードスクリュとの接点が、上記保持手段の凸部と上記摺動保持手段の切欠部との接触面に垂直かつ光軸に平行で保持手段の凸部と摺動保持手段の切欠部との接点を通る平面と、上記平面に平行で上記補正レンズの軸中心を通る平面との間に位置するように構成することができる。
【００３６】
上記の構成によれば、上記レンズ保持手段と摺動保持手段との接触部分にかかる荷重の合計が、上記アームとリードスクリュとの接点で作用する押圧力と等しくなり、上記レンジ保持手段と摺動保持手段との接触部分での荷重が増大してレンズ保持手段の移動時に発生する摩擦力を増大させるといった不具合を抑制できる。
【００３７】
また、上記光ピックアップ装置においては、上記摺動保持手段のガイド穴と上記レンズ保持手段は、光軸に垂直な面での断面形状が略円形形状であり、上記レンズ保持手段の軸中心位置と、上記補正レンズの軸中心位置とが略一致している構成とすることができる。
【００３８】
上記の構成によれば、上記レンズ保持手段と上記摺動保持手段のガイド穴とのクリアランスに起因して、該レンズ保持手段が光軸方向に傾きを生じたとしても、該レンズ保持手段内に保持される補正レンズの光軸方向の位置ずれ量を最小とすることができる。
【００３９】
また、上記の構成によれば、上記レンズ保持手段の移動時にレンズ保持手段の軸周りに回転が生じたとしても、上記補正レンズも、補正レンズ自体の軸周りに回転するのみとなる。したがって、このような場合の補正レンズの回転半径を最小にすることができ、補正レンズの送り位置ずれ量を最小限とすることができる。
【００４０】
【発明の実施の形態】
本発明の光ピックアップ装置に関する実施の一形態について図１〜図５に基づいて説明すれば以下のとおりである。
【００４１】
図２は本実施の形態における光ピックアップ装置の構成図であり、同図（ａ）は上面図、同図（ｂ）は側面図である。この光ピックアップ装置は、半導体レーザ等からなる光源１、ホログラム２、ホログラム２によって回折された信号を受光する光検出装置３、コリメートレンズ４、可動側補正レンズ（補正レンズ）５、固定側補正レンズ６、立ち上げミラー７、対物レンズ８、対物レンズアクチュエータ９、モータ（駆動源）１０、ギヤユニット１１、光学部品を一体に取り付けディスク径方向に移動可能にするための光ピックアップハウジング２０等から構成されている。
【００４２】
上記光ピックアップ装置において、光源１によって発生された光は、ホログラム２を０次回折光として透過し、さらにコリメートレンズ４を通過することによって平行光束とされる。コリメートレンズ４を通過した光は、その後、可動側補正レンズ５、固定側補正レンズ６を通過する。その際、可動側補正レンズ５を移動させ、可動側補正レンズ５と固定側補正レンズ６との間隔を変化させることにより、可動側補正レンズ５および固定側補正レンズ６を通過する光を、平行光、収斂光、もしくは発散光に変換することができる。これにより、光ディスク４０の記録面４１上での球面収差を補正することができる。
【００４３】
固定側補正レンズ６を通過した光は、立ち上げミラー７によって光路を９０°曲げられた後に、対物レンズ８によって集光され、光ディスク４０に照射される。光ディスク４０に照射された光は、光ディスク４０の光学的透明層を通過し、光ディスク４０の記録面４１上に集光する。対物レンズ８は、対物レンズアクチュエータ９によってフォーカスサーボ、ラジアルサーボがかけられており、光ディスク４０の面ぶれや外乱などがある場合でも、光ディスク４０と対物レンズアクチュエータ９の位置関係を一定に保つようになっている。
【００４４】
光ディスク４０の記録面４１からの反射光は、今度は逆の光路をたどって、対物レンズ８、立ち上げミラー７、固定側補正レンズ６、可動側補正レンズ５、コリメートレンズ４を通過する。そして、この反射光はホログラム２に到達したときに回折される。光検出装置３は、この回折光によってフォーカスサーボ信号、ラジアルサーボ信号、及び球面収差信号を検出する。
【００４５】
次に、本発明の特徴部分を有する構成として、可動側補正レンズ５を移動させるレンズ移動機構について、図１および図３を参照して説明する。
【００４６】
上記レンズ移動機構は、図１に示すように、モータ１０、ギヤユニット１１、リードスクリュ３２、レンズガイド軸（レンズ保持手段）３０、アーム３１、およびガイドホルダ（摺動保持手段）３４によって構成されている。モータ１０は、可動側補正レンズ５を移動させるための駆動力を与える駆動源である。ギヤユニット１１、リードスクリュ３２、レンズガイド軸３０、アーム３１、およびガイドホルダ３４は、モータ１０から供給される駆動力を可動側補正レンズ５に伝え、可動側補正レンズ５を光軸方向に移動させるための部材である。
【００４７】
上記レンズ移動機構において、モータ１０、ギヤユニット１１、リードスクリュ３２、およびガイドホルダ３４は、光ピックアップハウジング２０に対して固定されている。レンズガイド軸３０は、可動側補正レンズ５を保持する部材であり、ガイドホルダ３４に形成されたガイド穴３４ａ内で摺動可能に保持されている。また、アーム３１は、レンズガイド軸３０に対して一体的に取り付けられており、リードスクリュ３２の回転を直線方向の運動に変換してレンズガイド軸３０に伝える。
【００４８】
上記構成のレンズ移動機構において、モータ１０が回転すると、モータ１０と一体的に構成されているギヤユニット１１が回転数を減速させ、ギヤユニット１１の最終段に取り付けられているリードスクリュ３２を回転させる。リードスクリュ３２には、らせん状の送り溝が形成されており、この送り溝にはアーム３１の一端に設けられた係合部が係合している。このため、リードスクリュ３２が回転すると上記係合部が送り溝に沿って移動し、リードスクリュ３２の回転がアーム３１の直線移動に変換される。
【００４９】
また、アーム３１の他端はレンズガイド軸３０に取り付けられているため、アーム３１の直線移動はレンズガイド軸３０の移動として伝えられる。この時、レンズガイド軸３０は、ガイドホルダ３４に形成されたガイド穴３４ａ内で摺動移動するが、その移動方向は、この光学系を通過する光の光軸と平行な方向である。
【００５０】
このように、上記レンズ移動機構では、モータ１０の回転によって可動側補正レンズ５を保持するレンズガイド軸３０が移動し、可動側補正レンズ５の位置調節を行う。この時、例えば、ギヤユニット１１のギヤ減速比を１／７０とし、リードスクリュ３２のピッチを０．３ｍｍとすると、モータ１０が一回転するごとに可動側補正レンズ５は４．３μｍ移動する。
【００５１】
モータ１０のモータ軸には、その回転数を検出するための、２極着磁されたマグネット（図示せず）及びＳ極、Ｎ極を判別するためのホール素子（図示せず）が配置されており、これらのマグネットおよびホール素子にてモータの回転数を検出することによって、可動側補正レンズ５の位置を検出することが可能となっている。
【００５２】
次に、上記レンズ移動機構におけるレンズガイド軸３０及びガイドホルダ３４について説明する。可動側補正レンズ５はレンズガイド軸３０によって保持されており、レンズガイド軸３０はガイドホルダ３４によって光軸方向に移動可能に保持されている。
【００５３】
このため、ガイドホルダ３４は、図３（ａ），（ｂ）に示すように、光軸方向に平行な軸を有するガイド穴３４ａを有しており、レンズガイド軸３０はこのガイド穴３４ａ内で摺動可能に保持される。また、ガイドホルダ３４のガイド穴３４ａ内面とレンズガイド軸３０の外面との何れも、光軸に垂直な断面形状が略円形形状となっている。さらに、レンズガイド軸３０がガイドホルダ３４のガイド穴３４ａ内で滑らかに摺動するように、ガイドホルダ３４のガイド穴３４ａ内周面の直径がレンズガイド軸３０の外周面の直径よりもわずかに大きくなるようなクリアランスが設けられている。
【００５４】
また、上記ガイドホルダ３４のガイド穴３４ａは、その円周方向において、完全に閉じた円ではなく一部に切欠部３４ｂが設けられている。さらに、レンズガイド軸３０には、上記切欠部３４ｂに嵌合する凸部３０ａが設けられている。すなわち、レンズガイド軸３０は、ガイドホルダ３４の切欠部３４ｂに凸部３０ａを嵌合させた状態で摺動するものであり、これによってレンズガイド軸３０の光軸周りの回転が規制されるようになっている。
【００５５】
なお、上記ガイドホルダ３４のガイド穴３４ａは、その切欠部３４ｂにおいて開放状態となっているため、開放されていない場合よりも切欠部３４ｂおよび凸部３０ａの製作精度を向上させることができる。すなわち、凸部３０ａと切欠部３４ｂとのクリアランスを小さくすることができる。これにより、凸部３０ａと切欠部３４ｂとのクリアランスに起因するガイドホルダ３４の光軸方向に対する傾き量および光軸周りの回転量を小さくすることが可能である。
【００５６】
ここで、例えば、レンズガイド軸３０は、摺動性の高い樹脂材料（例えば、ＰＰＳ、液晶ポリマー等）を用いて凸部３０ａと一体に作成してもよいし、あるいは、レンズガイド軸３０をＡｌ、ＳＵＳ等の金属で作成し、その外周部に摺動性の高いコーティング（例えば、ＤＬＣコーティング等）を施す等の方法により、凸部３０ａの摺動性を向上させるものであってもよい。ガイドホルダ３４についても同様に切欠部３４ｂの摺動性を向上させることができる。
【００５７】
レンズガイド軸３０の凸部３０ａの一端部となる面には、リードスクリュ３４と係合するための係合部を有した、弾性材よりなるアーム３１が取り付けられる。アーム３１の先端部に設けられる係合部は、ラック形状とすることで、リードスクリュ３２の送り溝と精度よく係合し、遊びのない送りを可能とするため好適である。また、上記係合部は、金属もしくは摺動性の高い樹脂で構成されており、アーム３１と接着もしくは一体形成により構成されている。
【００５８】
また、アーム３１がレンズガイド軸３０の回転規制を行う凸部３０ａの一端部に取り付けられているため、レンズガイド軸３０に対し、アーム３１とレンズガイド軸３０の回転を規制するための別の部材とを別々の場所に取り付ける必要がなくなり、機構の小型化が可能となる。
【００５９】
さらに、図４に示すように、アーム３１の光軸方向から見た断面は略Ｌ字形状となっている。また、アーム３１は、上記係合部をリードスクリュ３２の中心方向に向けて押圧するための板バネとして作用する。
【００６０】
アーム３１とリードスクリュ３２との接触部は、アーム３１とリードスクリュ２１との接点（押圧点）における接面３６が、レンズガイド軸３０の凸部３０ａとガイドホルダ３４の切欠部３４ｂとの接触面（回動規制面３７）に対して、略平行になるように構成されている。これにより、アーム３１の押圧力は、前記回動規制面３７に垂直に作用する。また、前記押圧点がある位置は、前記回動規制面３７に垂直でレンズガイド軸３０の凸部３０ａとガイドホルダ３４の切欠部３４ｂとの接点（回動規制部）を通る直線と、前記直線に平行でレンズガイド軸３０の回転中心に直交する直線との間に位置するように構成されている。
【００６１】
この場合、アーム３１の押圧力をＮ、前記回動規制面３７に垂直でレンズガイド軸３０の回転中心に直交する直線上にあるレンズガイド軸３０とガイドホルダ３４との接点にかかる荷重をＮ１、回動規制部にかかる荷重をＮ２とすると、力のつりあいは、
Ｎ＝Ｎ１＋Ｎ２
となり、レンズガイド軸３０の中心位置と回動規制部とにかかる荷重の合計は押圧力Ｎと等しくなる。また、前記Ｎ１と前記Ｎ２は常に同じ方向に作用するため、前記Ｎ１および前記Ｎ２は前記押圧力Ｎよりも小さくなる。つまり、回動規制部とレンズガイド軸３０の凸部３０ａとを、常に押圧力Ｎより小さい一定の摩擦力で接触させることができる。
【００６２】
さらに、押圧点から前記レンズガイド軸中心を通る直線までの距離をＬ１、押圧点から前記回動規制部を通る直線までの距離をＬ２とすると、
モーメントのつりあいは、
Ｎ×Ｌ１＝Ｎ２×（Ｌ１＋Ｌ２）
であり、これを整理すると、
Ｎ２＝Ｌ１×Ｎ／（Ｌ１＋Ｌ２）
となる。
【００６３】
したがって、アーム３１とリードスクリュ３２との接触部の位置を変えてＬ１の大きさを変えることにより、回動規制部に発生する荷重Ｎ２を変化させることが可能となる。この荷重の目安として、レンズガイド軸の移動方向によっても、回動規制部とレンズガイド軸３０の凸部３０ａとの接触状態が失われない状態を維持できる荷重に設定するのがより望ましい。
【００６４】
また、本実施例では、図１および図３に示しているように、レンズガイド軸３０の回転中心位置と可動側補正レンズ５の中心位置とを略一致させている。
【００６５】
このため、レンズガイド軸３０とガイドホルダ３４のガイド穴３４ａとのクリアランスに起因して、レンズガイド軸３０が光軸方向に傾きを生じたとしても、該レンズガイド軸３０内に保持される可動側補正レンズ５の光軸方向の位置ずれ量を最小とすることができる。
【００６６】
また、移動方向反転時にレンズガイド軸３０に回転が生じた場合（回動規制部を構成する摺動部材が長期間の繰り返し使用等により磨耗した場合などに生じる可能性がある）でも、可動側補正レンズ５は該可動側補正レンズ５の中心位置まわりに回転する。したがって、移動方向反転時にレンズガイド軸３０に回転が生じた場合の、可動式補正レンズ５の回転半径を最小にすることができる。このため、移動方向反転時の可動側補正レンズ５の送り位置ずれ量を最小限とすることが可能である。
【００６７】
なお、本実施の形態における光ピックアップ装置は、光ディスクに対して情報の記録または再生を行う光ディスク装置において、光ディスクからの情報の読み取りまたは光ディスクへの書き込みに用いる手段として具備されるものである。このような光ディスク装置の構成例を図５に示す。
【００６８】
上記光ディスク装置は、図５に示すように、光ディスク４０をスピンドルモータ５１にて回転駆動し、本実施の形態に係る光ピックアップ装置５０にて、光ディスク４０への情報の書き込みまたは読み出しを行う。また、光ピックアップ装置５０およびスピンドルモータ５１の制御は制御部５２で行われる。制御部５２は、光ピックアップ装置５０から光ディスク４０への情報の書き込みまたは読み出しを行うための信号を制御する信号制御部５２ａや、スピンドルモータ５１および光ピックアップ装置５０のサーボ系等の駆動を制御する駆動制御部５２ｂ等を含む。
【００６９】
【発明の効果】
本発明の光ピックアップ装置は、以上のように、上記補正レンズを保持するレンズ保持手段と、上記レンズ保持手段を光軸方向に摺動可能となるように保持する摺動保持手段とを備えており、上記レンズ保持手段は、上記摺動保持手段に設けられたガイド穴内を摺動可能に保持されているものであると共に、上記摺動保持手段のガイド穴は上記光軸に平行に切欠部を有しており、上記レンズ保持手段は切欠部と嵌合する凸部を有している構成である。
【００７０】
それゆえ、上記レンズ保持手段は、摺動保持手段のガイド穴内において摺動可能に保持され、該レンズ保持手段は摺動保持手段のガイド穴に設けられた切欠部と凸部を嵌合させた状態で摺動移動する。このため、レンズ保持手段の移動軸中心周りの回転を極めて簡易な構成で規制することが可能となり、補正レンズ移動機構の小型化を図ることができるといった効果を奏する。
【００７１】
また、上記光ピックアップ装置においては、上記摺動保持手段は、切欠部において光軸周りの外周面が開放されている構成とすることが好ましい。
【００７２】
それゆえ、切欠部における光軸周りの外周面が解放されていない構成の場合よりも、切欠部および凸部を向上させることが可能となり、凸部と切欠部とのクリアランスに起因する、補正レンズの光軸方向に対する傾き量および光軸周りの回転量を小さくすることができるといった効果を奏する。
【００７３】
また、上記光ピックアップ装置においては、駆動源からの駆動力は、凸部を介して伝達される構成とすることが好ましい。
【００７４】
それゆえ、上記レンズ保持手段を移動させるための駆動力は、上記切欠部において露出する凸部を介して伝達されることとなり、簡易な構成で容易に駆動力をレンズ保持手段に伝達することができる。これにより、上記レンズ保持手段を小型化することができるといった効果を奏する。
【００７５】
また、上記光ピックアップ装置においては、光源から発射されるビーム光の光軸と平行に配され、駆動源によって回転されるリードスクリュと、上記レンズ保持手段の凸部に固定され、上記リードスクリュと係合されてリードスクリュの回転を光軸方向の直線運動に変換してレンズ保持手段に伝えるアームとを具備し、上記アームと上記リードスクリュとの接点における接面が、上記レンズ保持手段の凸部と上記摺動保持手段の切欠部との接触面に対して、略平行になるように構成することができる。
【００７６】
それゆえ、アームの押圧力は回動規制面に垂直に作用し、これにより、アームの押圧力が、回動規制面におけるがたつきを抑制するように作用し、補正レンズの移動時のずれを低減することができるといった効果を奏する。
【００７７】
また、上記光ピックアップ装置においては、上記アームと上記リードスクリュとの接点が、上記保持手段の凸部と上記摺動保持手段の切欠部との接触面に垂直かつ光軸に平行で保持手段の凸部と摺動保持手段の切欠部との接点を通る平面と、上記平面に平行で上記補正レンズの軸中心を通る平面との間に位置するように構成することができる。
【００７８】
それゆえ、上記レンズ保持手段と摺動保持手段との接触部分にかかる荷重の合計が、上記アームとリードスクリュとの接点で作用する押圧力と等しくなり、上記レンジ保持手段と摺動保持手段との接触部分での荷重が増大してレンズ保持手段の移動時に発生する摩擦力を増大させるといった不具合を抑制できるといった効果を奏する。
【００７９】
また、上記光ピックアップ装置においては、上記摺動保持手段のガイド穴と上記レンズ保持手段は、光軸に垂直な面での断面形状が略円形形状であり、上記レンズ保持手段の軸中心位置と、上記補正レンズの軸中心位置とが略一致している構成とすることができる。
【００８０】
それゆえ、上記レンズ保持手段と上記摺動保持手段のガイド穴とのクリアランスに起因して、該レンズ保持手段が光軸方向に傾きを生じたとしても、該レンズ保持手段内に保持される補正レンズの光軸方向の位置ずれ量を最小とすることができるといった効果を奏する。
【００８１】
また、上記レンズ保持手段の移動時にレンズ保持手段の軸周りに回転が生じたとしても、上記補正レンズも、補正レンズ自体の軸周りに回転するのみとなり、補正レンズの送り位置ずれ量を最小限とすることができるといった効果を奏する。
【図面の簡単な説明】
【図１】（ａ）および（ｂ）は、本発明の光ピックアップ装置に搭載されている補正レンズ駆動部の要部上面図および正面図である。
【図２】（ａ）および（ｂ）は、本発明の光ピックアップ装置の要部上面図および側面図である。
【図３】（ａ）および（ｂ）は、本発明の光ピックアップ装置に搭載されている補正レンズ駆動部の要部斜視図および分解斜視図である。
【図４】本発明の光ピックアップ装置に搭載されている補正レンズ駆動部の移動方向に垂直な断面における断面図である。
【図５】本発明の光ピックアップ装置を搭載した光ディスク装置の構成例を示すブロック図である。
【図６】（ａ）および（ｂ）は、従来のガイド機構を用いた場合に、移動方向が反転した瞬間における動作をそれぞれ説明する図である。
【図７】従来のガイド構造における押圧力、主軸、副軸にかかる荷重を説明する図である。
【符号の説明】
１      光源
５      可動側補正レンズ（補正レンズ）
６      固定側補正レンズ
８      対物レンズ
１０    モータ（駆動源）
３０    レンズガイド軸（レンズ保持手段）
３０ａ  凸部
３１    アーム
３２    リードスクリュ
３３    凸部
３４    ガイドホルダ（摺動保持手段）
３４ａ  ガイド穴
３４ｂ  切欠部
３７    回動規制面
４０    光ディスク
【図１】
2004272945.tif 000003
【図２】
2004272945.tif 000004
【図３】
2004272945.tif 000005
【図４】
2004272945.tif 000006
【図５】
2004272945.tif 000007
【図６】
2004272945.tif 000008
【図７】
2004272945.tif 000009